(57)【要約】  複数のダイバーシティソースから到来する信号を合成するための方法は、受信機アンテナダイバーシティのための最大比合成（ＭＲＣ）に基づく等化及び合成を行うことを含み得る。前記方法は、さらに反復ダイバーシティのためのＭＲＣに基づく等化及び合成を行うことを含み得る。前記方法は、さらに複製ダイバーシティのためのＭＲＣに基づく等化及び合成を行うことを含み得る。受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われ得る。【選択図】図２
2011517538.tif 000002
【特許請求の範囲】
【請求項１】
複数のダイバーシティソースから到来する信号を合成するための方法であって、
受信機アンテナダイバーシティのための最大比合成（ＭＲＣ）に基づく等化及び合成を行うことと、
反復ダイバーシティのためのＭＲＣに基づく等化及び合成を行うことと、
複製ダイバーシティのためのＭＲＣに基づく等化及び合成を行うことと、
を備え、
受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われる、
方法。
【請求項２】
反復ダイバーシティのための前記ＭＲＣに基づく等化及び合成は、受信機アンテナダイバーシティのための前記ＭＲＣに基づく等化及び合成の後に行われ、
複製ダイバーシティのための前記ＭＲＣに基づく等化及び結合は、反復ダイバーシティのための前記ＭＲＣに基づく等化及び合成の後に行われる、
請求項１に記載の方法。
【請求項３】
受信機アンテナダイバーシティのための前記ＭＲＣに基づく等化及び合成は、
【数１】
2011517538.tif 000013
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｒｓｄｒ（）は、副搬送波デランダム化の結果を示し、Ｈｐ（）は、チャネル推定の結果を示す、
請求項１に記載の方法。
【請求項４】
反復ダイバーシティのための前記ＭＲＣに基づく等化及び合成は、
【数２】
2011517538.tif 000014
として行われる、なお、
【数３】
2011517538.tif 000015
であり、
【数４】
2011517538.tif 000016
であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｚであり、
【数５】
2011517538.tif 000017
であり、Ｒは、反復係数である、
請求項１に記載の方法。
【請求項５】
複製ダイバーシティのための前記ＭＲＣに基づく等化及び合成は、
【数６】
2011517538.tif 000018
として行われる、なお、
【数７】
2011517538.tif 000019
であり、
【数８】
2011517538.tif 000020
であり、ＲｒｐｔＮ（）は、反復ダイバーシティのための前記ＭＲＣに基づく等化及び合成の結果の分子であり、ＲｒｐｔＤ（）は、反復ダイバーシティのための前記ＭＲＣに基づく等化及び合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数９】
2011517538.tif 000021
であり、Ｄは、複製係数である、
請求項１に記載の方法。
【請求項６】
後処理のためのＭＲＣに基づく等化及び合成を行うこと、
をさらに備える請求項１に記載の方法。
【請求項７】
後処理のための前記ＭＲＣに基づく等化及び合成は、
【数１０】
2011517538.tif 000022
として行われる、なお、ＲｄｕｐＮ（）は、複製ダイバーシティのための前記ＭＲＣに基づく等化及び合成の結果の分子であり、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスである、
請求項６に記載の方法。
【請求項８】
受信機アンテナダイバーシティのためのＭＲＣに基づくチャネル状態情報（ＣＳＩ）合成を行うことと、
反復ダイバーシティのためのＭＲＣに基づくＣＳＩ合成を行うことと、
複製ダイバーシティのためのＭＲＣに基づくＣＳＩ合成を行うことと、
をさら備え、
受信機アンテナダイバーシティのための前記ＭＲＣに基づくＣＳＩ合成、反復ダイバーシティのための前記ＭＲＣに基づくＣＳＩ合成、及び複製ダイバーシティのための前記ＭＲＣに基づくＣＳＩ合成は、個別に行われる、
請求項１記載の方法。
【請求項９】
反復ダイバーシティのための前記ＭＲＣに基づくＣＳＩ合成は、受信機アンテナダイバーシティのための前記ＭＲＣに基づくＣＳＩ合成の後に行われ、
複製ダイバーシティのための前記ＭＲＣに基づくＣＳＩ合成は、反復ダイバーシティのための前記ＭＲＣに基づくＣＳＩ合成の後に行われる、
請求項８に記載の方法。
【請求項１０】
受信機アンテナダイバーシティのための前記ＭＲＣに基づくＣＳＩ合成は、
【数１１】
2011517538.tif 000023
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｈｐ（）は、チャネル推定の結果を示す、
請求項８に記載の方法。
【請求項１１】
反復ダイバーシティのための前記ＭＲＣに基づくＣＳＩ合成は、
【数１２】
2011517538.tif 000024
として行われる、なお、
【数１３】
2011517538.tif 000025
であり、
【数１４】
2011517538.tif 000026
であり、ＨｓＮ（）は、副搬送波割り当て解除の結果の分子であり、ＨｓＤ（）は、副搬送波割り当て解除の結果の分母であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｚであり、
【数１５】
2011517538.tif 000027
であり、Ｒは、反復係数であり、Ｎｃは、受信アンテナ数を示す、
請求項８に記載の方法。
【請求項１２】
複製ダイバーシティのための前記ＭＲＣに基づくＣＳＩ合成は、
【数１６】
2011517538.tif 000028
として行われる、なお、
【数１７】
2011517538.tif 000029
であり、
【数１８】
2011517538.tif 000030
であり、ＨｒｐｔＮ（）は、反復ダイバーシティのための前記ＭＲＣに基づくＣＳＩ合成の結果の分子であり、ＨｒｐｔＤ（）は、反復ダイバーシティのための前記ＭＲＣに基づくＣＳＩ合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数１９】
2011517538.tif 000031
であり、Ｄは、複製係数であり、Ｒは、反復係数である、
請求項８に記載の方法。
【請求項１３】
後処理のためのＭＲＣに基づくＣＳＩ合成を行うことをさらに備える請求項８に記載の方法。
【請求項１４】
後処理のための前記ＭＲＣに基づくＣＳＩ合成は、
【数２０】
2011517538.tif 000032
として行われる、なお、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスであり、Ｎｃは、受信アンテナ数であり、Ｒは、反復係数であり、Ｄは、複製係数である、
請求項１３に記載の方法。
【請求項１５】
複数のダイバーシティソースからの信号を合成するための無線デバイスであって、
受信機アンテナダイバーシティのための最大比合成（ＭＲＣ）に基づく等化及び合成を行うように構成される受信機アンテナダイバーシティ等化器及び合成器と、
反復ダイバーシティのためのＭＲＣに基づく等化及び合成を行うように構成される反復ダイバーシティ等化器及び合成器と、
複製ダイバーシティのためのＭＲＣに基づく等化及び合成を行うように構成される複製ダイバーシティ等化器及び合成器と、
を備え、
受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われる、
無線デバイス。
【請求項１６】
反復ダイバーシティのための前記ＭＲＣに基づく等化及び合成は、受信機アンテナダイバーシティのための前記ＭＲＣに基づく等化及び合成の後に行われ、
複製ダイバーシティのための前記ＭＲＣに基づく等化及び合成は、反復ダイバーシティのための前記ＭＲＣに基づく等化及び合成の後に行われる、
請求項１５に記載の無線デバイス。
【請求項１７】
受信機アンテナダイバーシティのための前記ＭＲＣに基づく等化及び合成は、
【数２１】
2011517538.tif 000033
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｒｓｄｒ（）は、副搬送波デランダム化の結果を示し、Ｈｐ（）は、チャネル推定の結果を示す、
請求項１５に記載の無線デバイス。
【請求項１８】
反復ダイバーシティのための前記ＭＲＣに基づく等化及び合成は、
【数２２】
2011517538.tif 000034
として行われる、なお、
【数２３】
2011517538.tif 000035
であり、
【数２４】
2011517538.tif 000036
であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｚであり、
【数２５】
2011517538.tif 000037
であり、Ｒは、反復係数である、
請求項１５に記載の無線デバイス。
【請求項１９】
複製ダイバーシティのための前記ＭＲＣに基づく等化及び合成は、
【数２６】
2011517538.tif 000038
として行われる、なお、
【数２７】
2011517538.tif 000039
であり、
【数２８】
2011517538.tif 000040
であり、ＲｒｐｔＮ（）は、反復ダイバーシティのための前記ＭＲＣに基づく等化及び合成の結果の分子であり、ＲｒｐｔＤ（）は、反復ダイバーシティのための前記ＭＲＣに基づく等化及び合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数２９】
2011517538.tif 000041
であり、Ｄは、複製係数である、
請求項１５に記載の無線デバイス。
【請求項２０】
後処理のためのＭＲＣに基づく等化及び合成を行うように構成される後処理等化器及び合成器をさらに備える、
請求項１５に記載の無線デバイス。
【請求項２１】
後処理のための前記ＭＲＣに基づく等化及び合成は、
【数３０】
2011517538.tif 000042
として行われる、なお、ＲｄｕｐＮ（）は、複製ダイバーシティのための前記ＭＲＣに基づく等化及び合成の結果の分子であり、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスである、
請求項２０に記載の無線デバイス。
【請求項２２】
受信機アンテナダイバーシティのためのＭＲＣに基づくチャネル状態情報（ＣＳＩ）合成を行うように構成される受信機アンテナダイバーシティＣＳＩ合成と、
反復ダイバーシティのためのＭＲＣに基づくＣＳＩ合成を行うように構成される反復ダイバーシティＣＳＩ合成器と、
複製ダイバーシティのためのＭＲＣに基づくＣＳＩ合成を行うように構成される複製ダイバーシティＣＳＩ合成器と、
をさらに備え、
受信機アンテナダイバーシティのための前記ＭＲＣに基づくＣＳＩ合成、反復ダイバーシティのための前記ＭＲＣに基づくＣＳＩ合成、及び複製ダイバーシティのための前記ＭＲＣに基づくＣＳＩ合成は、個別に行われる、
請求項１５記載の無線デバイス。
【請求項２３】
反復ダイバーシティのための前記ＭＲＣに基づくＣＳＩ合成は、受信機アンテナダイバーシティのためのＭＲＣに基づくＣＳＩ合成の後に行われ、
複製ダイバーシティのための前記ＭＲＣに基づくＣＳＩ合成は、反復ダイバーシティのための前記ＭＲＣに基づくＣＳＩ合成の後に行われる、
請求項２２に記載の無線デバイス。
【請求項２４】
受信機アンテナダイバーシティのための前記ＭＲＣに基づくＣＳＩ合成は、
【数３１】
2011517538.tif 000043
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｈｐ（）は、チャネル推定の結果を示す、
請求項２２に記載の無線デバイス。
【請求項２５】
反復ダイバーシティのための前記ＭＲＣに基づくＣＳＩ合成は、
【数３２】
2011517538.tif 000044
として行われる、なお、
【数３３】
2011517538.tif 000045
であり、
【数３４】
2011517538.tif 000046
であり、ＨｓＮ（）は、副搬送波割り当て解除の結果の分子であり、ＨｓＤ（）は、副搬送波割り当て解除の結果の分母であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｚであり、
【数３５】
2011517538.tif 000047
であり、Ｒは、反復係数であり、Ｎｃは、受信アンテナ数を示す、
請求項２２に記載の無線デバイス。
【請求項２６】
複製ダイバーシティのための前記ＭＲＣに基づくＣＳＩ合成は、
【数３６】
2011517538.tif 000048
として行われる、なお、
【数３７】
2011517538.tif 000049
であり、
【数３８】
2011517538.tif 000050
であり、なお、ＨｒｐｔＮ（）は、反復ダイバーシティのための前記ＭＲＣに基づくＣＳＩ合成の結果の分子であり、ＨｒｐｔＤ（）は、反復ダイバーシティのための前記ＭＲＣに基づくＣＳＩ合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数３９】
2011517538.tif 000051
であり、Ｄは、複製係数であり、Ｒは、反復係数である、
請求項２２に記載の無線デバイス。
【請求項２７】
後処理のためのＭＲＣに基づくＣＳＩ合成を行うように構成される後処理ＣＳＩ合成器をさらに備える請求項２２に記載の無線デバイス。
【請求項２８】
後処理のための前記ＭＲＣに基づくＣＳＩ合成は、
【数４０】
2011517538.tif 000052
として行われる、なお、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスであり、Ｎｃは、受信アンテナ数であり、Ｒは、反復係数であり、Ｄは、複製係数である、
請求項２７に記載の無線デバイス。
【請求項２９】
複数のダイバーシティソースからの信号を合成するための装置であって、
受信機アンテナダイバーシティのための最大比合成（ＭＲＣ）に基づく等化及び合成を行うための手段と、
反復ダイバーシティのためのＭＲＣに基づく等化及び合成を行うための手段と、
複製ダイバーシティのためのＭＲＣに基づく等化及び合成を行うための手段と、
を備え、
受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われる、
装置。
【請求項３０】
反復ダイバーシティのための前記ＭＲＣに基づく等化及び合成は、受信機アンテナダイバーシティのための前記ＭＲＣに基づく等化及び合成の後に行われ、
複製ダイバーシティのための前記ＭＲＣに基づく等化及び合成は、反復ダイバーシティのための前記ＭＲＣに基づく等化及び合成の後に行われる、
請求項２９に記載の装置。
【請求項３１】
受信機アンテナダイバーシティのための前記ＭＲＣに基づく等化及び合成は、
【数４１】
2011517538.tif 000053
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｒｓｄｒ（）は、副搬送波デランダム化の結果を示し、Ｈｐ（）は、チャネル推定の結果を示す、
請求項２９に記載の装置。
【請求項３２】
反復ダイバーシティのための前記ＭＲＣに基づく等化及び合成は、
【数４２】
2011517538.tif 000054
として行われる、なお、
【数４３】
2011517538.tif 000055
であり、
【数４４】
2011517538.tif 000056
であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｚであり、Ｎｚ＝Ｎｓ／Ｒであり、Ｒは、反復係数である、
請求項２９に記載の装置。
【請求項３３】
複製ダイバーシティのための前記ＭＲＣに基づく等化及び合成は、
【数４５】
2011517538.tif 000057
として行われる、なお、
【数４６】
2011517538.tif 000058
であり、
【数４７】
2011517538.tif 000059
であり、ＲｒｐｔＮ（）は、反復ダイバーシティのための前記ＭＲＣに基づく等化及び合成の結果の分子であり、ＲｒｐｔＤ（）は、反復ダイバーシティのための前記ＭＲＣに基づく等化及び合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数４８】
2011517538.tif 000060
であり、Ｄは、複製係数である、
請求項２９に記載の装置。
【請求項３４】
後処理のためのＭＲＣに基づく等化及び合成を行うための手段をさらに備える請求項２９に記載の装置。
【請求項３５】
後処理のための前記ＭＲＣに基づく等化及び合成は、
【数４９】
2011517538.tif 000061
として行われる、なお、ＲｄｕｐＮ（）は、複製ダイバーシティのための前記ＭＲＣに基づく等化及び合成の結果の分子であり、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスである、
請求項３４に記載の装置。
【請求項３６】
受信機アンテナダイバーシティのためのＭＲＣに基づくチャネル状態情報（ＣＳＩ）合成を行うための手段と、
反復ダイバーシティのためのＭＲＣに基づくＣＳＩ合成を行うための手段と、
複製ダイバーシティのためのＭＲＣに基づくＣＳＩ合成を行うための手段と、
をさら備え、
受信機アンテナダイバーシティのための前記ＭＲＣに基づくＣＳＩ合成、反復ダイバーシティのための前記ＭＲＣに基づくＣＳＩ合成、及び複製ダイバーシティのための前記ＭＲＣに基づくＣＳＩ合成は、個別に行われる、
請求項２９記載の装置。
【請求項３７】
反復ダイバーシティのための前記ＭＲＣに基づくＣＳＩ合成は、受信機アンテナダイバーシティのための前記ＭＲＣに基づくＣＳＩ合成の後に行われ、
複製ダイバーシティのための前記ＭＲＣに基づくＣＳＩ合成は、反復ダイバーシティのための前記ＭＲＣに基づくＣＳＩ合成の後に行われる、
請求項３６に記載の装置。
【請求項３８】
受信機アンテナダイバーシティのための前記ＭＲＣに基づくＣＳＩ合成は、
【数５０】
2011517538.tif 000062
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｈｐ（）は、チャネル推定の結果を示す、
請求項３６に記載の装置。
【請求項３９】
反復ダイバーシティのための前記ＭＲＣに基づくＣＳＩ結合は、
【数５１】
2011517538.tif 000063
として行われる、なお、
【数５２】
2011517538.tif 000064
であり、
【数５３】
2011517538.tif 000065
であり、ＨｓＮ（）は、副搬送波割り当て解除の結果の分子であり、ＨｓＤ（）は、副搬送波割り当て解除の結果の分母であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｓであり、
【数５４】
2011517538.tif 000066
であり、Ｒは、反復係数であり、Ｎｃは、受信アンテナ数を示す、
請求項３６に記載の装置。
【請求項４０】
複製ダイバーシティのための前記ＭＲＣに基づくＣＳＩ結合は、
【数５５】
2011517538.tif 000067
として行われる、なお、
【数５６】
2011517538.tif 000068
であり、
【数５７】
2011517538.tif 000069
であり、ＨｒｐｔＮ（）は、反復ダイバーシティのための前記ＭＲＣに基づくＣＳＩ結合の結果の分子であり、ＨｒｐｔＤ（）は、反復ダイバーのための前記ＭＲＣに基づくＣＳＩ結合の結果の分母であり、ｚは、割り当てられたスロットインデックスであり、ｋは、スロット当たりの副搬送波数のインデックスであり、ｋ＝１、２、．．．、Ｎｓｃであり、同じくｄ＝（ｄ−１）Ｎｕ＋ｕであり、ｕは、複製ごとの副搬送波数のインデックスであり、
【数５８】
2011517538.tif 000070
であり、Ｄは、複製係数であり、Ｒは、反復係数である、
請求項３６に記載の装置。
【請求項４１】
後処理のためのＭＲＣに基づくＣＳＩ合成を行うための手段をさらに備える、
請求項３６に記載の装置。
【請求項４２】
後処理のための前記ＭＲＣに基づくＣＳＩ合成は、
【数５９】
2011517538.tif 000071
として行われる、なお、ＨｄｕｐＮ（）は、複製ダイバーシティのための前記ＭＲＣに基づくＣＳＩの結果の分子であり、ｚは、割り当てられたスロットインデックスであり、ｕは、複製ごとの副搬送波数のインデックスであり、Ｎｃは、受信アンテナ数であり、Ｒは、反復係数であり、Ｄは、複製係数である、
請求項４１に記載の装置。
【請求項４３】
複数のダイバーシティソースから到来する信号を合成するためのコンピュータプログラム製品であって、
その上に命令を有するコンピュータ可読媒体を備え、前記命令は、
受信機アンテナダイバーシティのための最大比合成（ＭＲＣ）に基づく等化及び合成を行うためのコードと、
反復ダイバーシティのためのＭＲＣに基づく等化及び合成を行うためのコードと、
複製ダイバーシティのためのＭＲＣに基づく等化及び合成を行うためのコードと、
を備え、
受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われる、
コンピュータプログラム製品。
【請求項４４】
反復ダイバーシティのための前記ＭＲＣに基づく等化及び合成は、受信機アンテナダイバーシティのための前記ＭＲＣに基づく等化及び合成の後に行われ、
複製ダイバーシティのための前記ＭＲＣに基づく等化及び合成は、反復ダイバーシティのための前記ＭＲＣに基づく等化及び合成の後に行われる、
請求項４３に記載のコンピュータプログラム製品。
【請求項４５】
受信機アンテナダイバーシティのための前記ＭＲＣに基づく等化及び合成は、
【数６０】
2011517538.tif 000072
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｒｓｄｒ（）は、副搬送波デランダム化の結果を示し、Ｈｐ（）は、チャネル推定の結果を示す、
請求項４３に記載のコンピュータプログラム製品。
【請求項４６】
反復ダイバーシティのための前記ＭＲＣに基づく等化及び合成は、
【数６１】
2011517538.tif 000073
として行われる、なお、
【数６２】
2011517538.tif 000074
であり、
【数６３】
2011517538.tif 000075
であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｚであり、
【数６４】
2011517538.tif 000076
であり、Ｒは、反復係数である、
請求項４３に記載のコンピュータプログラム製品。
【請求項４７】
複製ダイバーシティのための前記ＭＲＣに基づく等化及び合成は、
【数６５】
2011517538.tif 000077
として行われる、なお、
【数６６】
2011517538.tif 000078
であり、
【数６７】
2011517538.tif 000079
であり、ＲｒｐｔＮ（）は、反復ダイバーシティのための前記ＭＲＣに基づく等化及び合成の結果の分子であり、ＲｒｐｔＤ（）は、反復ダイバーシティのための前記ＭＲＣに基づく等化及び合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数６８】
2011517538.tif 000080
であり、Ｄは、複製係数である、
請求項４３に記載のコンピュータプログラム製品。
【請求項４８】
後処理のためのＭＲＣに基づく等化及び合成を行うための符号をさらに備える、
請求項４３に記載のコンピュータプログラム製品。
【請求項４９】
後処理のための前記ＭＲＣに基づく等化及び合成は、
【数６９】
2011517538.tif 000081
として行われる、なお、ＲｄｕｐＮ（）は、複製ダイバーシティのための前記ＭＲＣに基づく等化及び合成の結果の分子であり、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスである、
請求項４８に記載のコンピュータプログラム製品。
【請求項５０】
受信機アンテナダイバーシティのためのＭＲＣに基づくチャネル状態情報（ＣＳＩ）合成を行うためのコードと、
反復ダイバーシティのためのＭＲＣに基づくＣＳＩ合成を行うためのコードと、
複製ダイバーシティのためのＭＲＣに基づくＣＳＩ合成を行うためのコードと、
をさらに備え、
受信機アンテナダイバーシティのための前記ＭＲＣに基づくＣＳＩ合成、反復ダイバーシティのための前記ＭＲＣに基づくＣＳＩ合成、及び複製ダイバーシティのための前記ＭＲＣに基づくＣＳＩ合成は、個別に行われる、
請求項４３記載のコンピュータプログラム製品。
【請求項５１】
反復ダイバーシティのための前記ＭＲＣに基づくＣＳＩ合成は、受信機アンテナダイバーシティのための前記ＭＲＣに基づくＣＳＩ合成の後に行われ、
複製ダイバーシティのための前記ＭＲＣに基づくＣＳＩ合成は、反復ダイバーシティのための前記ＭＲＣに基づくＣＳＩ合成の後に行われる、
請求項５０に記載のコンピュータプログラム製品。
【請求項５２】
受信機アンテナダイバーシティのための前記ＭＲＣに基づくＣＳＩ合成は、
【数７０】
2011517538.tif 000082
として行われる、なお、ｉは、ＯＦＤＭＡシンボルインデックスであり、ｃは、通信チャネルインデックスであり、ｎは、高速フーリエ変換インデックスであり、Ｎｃは、受信アンテナ数を示し、Ｈｐ（）は、チャネル推定の結果を示す、
請求項５０に記載のコンピュータプログラム製品。
【請求項５３】
反復ダイバーシティのための前記ＭＲＣに基づくＣＳＩ合成は、
【数７１】
2011517538.tif 000083
として行われる、なお、
【数７２】
2011517538.tif 000084
であり、
【数７３】
2011517538.tif 000085
であり、ＨｓＮ（）は、副搬送波割り当て解除の結果の分子であり、ＨｓＤ（）は、副搬送波割り当て解除の結果の分母であり、ｋは、スロット当たりの副搬送波数のインデックスであり、ｓは、割り当てられたスロットインデックスであり、ｓ＝１、２、．．．、Ｎｓであり、ｚは、相対的な割り当てられたスロットインデックスであり、ｚ＝１、２、．．．、Ｎｓであり、
【数７４】
2011517538.tif 000086
であり、Ｒは、反復係数であり、Ｎｃは、受信アンテナ数を示す、
請求項５０に記載のコンピュータプログラム製品。
【請求項５４】
複製ダイバーシティのための前記ＭＲＣに基づくＣＳＩ結合は、
【数７５】
2011517538.tif 000087
として行われる、なお、
【数７６】
2011517538.tif 000088
であり、
【数７７】
2011517538.tif 000089
であり、ＨｒｐｔＮ（）は、反復ダイバーシティのための前記ＭＲＣに基づくＣＳＩ合成の結果の分子であり、ＨｒｐｔＤ（）は、反復ダイバーシティのための前記ＭＲＣに基づくＣＳＩ合成の結果の分母であり、ｚは、割り当てられたスロットインデックスであり、ｋは、スロット当たりの副搬送波数のインデックスであり、ｋ＝１、２、．．．、Ｎｓｃであり、同じくｋ＝（ｄ−１）Ｎｕ＋ｕであり、ｕは、複製ごとの副搬送波数のインデックスであり、
【数７８】
2011517538.tif 000090
であり、Ｄは、複製係数であり、Ｒは、反復係数である、
請求項５０に記載のコンピュータプログラム製品。
【請求項５５】
後処理のための前記ＭＲＣに基づくＣＳＩ合成を行うための符号をさらに備える、
請求項５０に記載のコンピュータプログラム製品。
【請求項５６】
後処理のための前記ＭＲＣに基づくＣＳＩ合成は、
【数７９】
2011517538.tif 000091
として行われる、なお、ＨｄｕｐＮ（）は、複製ダイバーシティのための前記ＭＲＣに基づくＣＳＩ合成の結果の分子であり、ｚは、割り当てられたスロットインデックスであり、ｕは、複製ごとの副搬送波数のインデックスであり、Ｎｃは、受信アンテナ数であり、Ｒは、反復係数であり、Ｄは、複製係数である、
請求項５５に記載のコンピュータプログラム製品。
【発明の詳細な説明】
【技術分野】
【０００１】
本開示は、一般に、無線通信システムに関するものである。本開示は、より具体的には、複数のダイバーシティソースから到来する信号を合成するための方法及び装置に関するものである。
【背景技術】
【０００２】
無線通信デバイスは、消費者のニーズを満たすこと及び携帯性と利便性を向上させることを目的としてますます小型化しかつますます強力になってきている。消費者は、無線通信デバイス、例えば、携帯電話、携帯情報端末（ＰＤＡ）、ラップトップコンピュータ、等に依存するようになってきている。消費者は、信頼できるサービス、拡大されたカバレッジエリア、及び向上された機能性を期待するようになっている。無線通信デバイスは、移動局、局、アクセス端末、ユーザ端末、端末、加入者ユニット、ユーザ装置、等と称され得る。
【０００３】
無線通信システムは、複数の無線通信デバイスのために通信を同時にサポートし得る。無線通信デバイスは、アップリンク及びダウンリンクにおける送信を介して１つ以上の基地局（代替においてはアクセスポイント、ノードＢ、等と称され得る）と通信し得る。アップリンク（又は逆方向リンク）は、無線通信デバイスから基地局への通信リンクを指し、ダウンリンク（又は順方向リンク）は、基地局から無線通信デバイスへの通信リンクを指す。
【０００４】
無線通信システムは、利用可能なシステムリソース（例えば、帯域幅及び送信電力）を共有することによって複数のユーザとの通信をサポートすることが可能な多元接続システムであり得る。そのような多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、を含む。
【０００５】
上述されるように、本開示は、一般に、無線通信システムに関するものである。本開示は、より具体的には、複数のダイバーシティソースから到来する信号を合成するための方法及び装置に関するものである。
【発明の概要】
【０００６】
複数のダイバーシティソースからの信号を合成するための方法が開示される。前記方法は、受信機アンテナダイバーシティのための最大比合成（ＭＲＣ）に基づく等化及び合成を行うことを含み得る。前記方法は、さらに反復ダイバーシティのためのＭＲＣに基づく等化及び合成を行うことを含み得る。前記方法は、さらに複製（ｄｕｐｌｉｃａｔｉｏｎ）ダイバーシティのためのＭＲＣに基づく等化及び合成を行うことを含み得る。受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われ得る。
【０００７】
複数のダイバーシティソースから到来する信号を合成するための無線デバイスがさらに開示される。前記無線デバイスは、さらに受信機アンテナダイバーシティのためのＭＲＣに基づく等化及び合成を行うように構成される受信機アンテナダイバーシティ等化器及び合成器を含み得る。前記無線デバイスは、さらに反復ダイバーシティのためのＭＲＣに基づく等化及び合成を行うように構成される反復ダイバーシティ等化器及び結合器を含み得る。前記無線デバイスは、さらに複製ダイバーシティのためのＭＲＣに基づく等化及び合成を行うように構成される複製ダイバーシティ等化器及び合成器を含み得る。受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われ得る。
【０００８】
複数のダイバーシティ源からの信号を合成するための装置がさらに開示される。前記装置は、受信機アンテナダイバーシティのためのＭＲＣに基づく等化及び合成を行うための手段を含み得る。前記装置は、さらに反復ダイバーシティのためのＭＲＣに基づく等化及び合成を行うための手段を含み得る。前記装置は、さらに複製ダイバーシティのためのＭＲＣに基づく等化及び合成を行うための手段を含み得る。受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われ得る。
【０００９】
複数のダイバーシティソースから到来する信号を合成するためのコンピュータプログラム製品がさらに開示される。前記コンピュータプログラム製品は、その上に命令を有するコンピュータ可読媒体を含み得る。前記命令は、さらに受信機アンテナダイバーシティのためのＭＲＣに基づく等化及び合成を行うための符号を含み得る。前記命令は、さらに反復ダイバーシティのためのＭＲＣに基づく等化及び合成を行うための符号を含み得る。前記命令は、さらに複製ダイバーシティのためのＭＲＣに基づく等化及び合成を行うための符号を含み得る。受信機アンテナダイバーシティのための前記ＭＲＣに基づく等化及び合成、反復ダイバーシティのための前記ＭＲＣに基づく等化及び合成、及び複製ダイバーシティのための前記ＭＲＣに基づく等化及び合成は、個別に行われ得る。
【図面の簡単な説明】
【００１０】
【図１】無線通信システムの例を示した図である。
【図２】複数のダイバーシティソースから到来する信号を合成するためのシステムの例を示した図である。
【図３】複数のダイバーシティ方式を利用するように構成される送信機の例を示した図である。
【図４Ａ】複数のダイバーシティソースから到来する信号を合成するためのシステムの他の例を示した図である。
【図４Ｂ】複数のダイバーシティソースから到来する信号を合成するためのシステムの他の例を示した図である。
【図５】複数のダイバーシティソースから到来する信号を合成するための方法を示した図である。
【図６】図５に示される方法に対応する手段及び機能ブロックを示した図である。
【図７】無線デバイスにおいて利用し得る様々なコンポーネントを示した図である。
【発明を実施するための形態】
【００１１】
本開示の方法及び装置は、広帯域無線通信システムにおいて利用し得る。用語“広帯域無線”は、無線、音声、インターネット、及び／又はデータネットワークアクセスを所定のエリアにおいて提供する技術を指す。
【００１２】
ワイマックス（Ｗｏｒｌｄｗｉｄ  Ｉｎｔｅｒｏｐｅｒａｂｉｌｉｔｙ  ｆｏｒ  Ｍｉｃｒｏｗａｖｅ  Ａｃｃｅｓｓ）を表わすＷｉＭＡＸは、高スループットの広帯域接続を長距離にわたって提供する基準に基づく広帯域無線技術である。今日におけるＷｉＭＡＸの主な用途は２つ、すなわち、固定ＷｉＭＡＸ及び移動ＷｉＭＡＸである。固定ＷｉＭＡＸの用途は、ポイントツーマルチポイントであり、家庭及び企業への広帯域アクセスを可能にする。移動ＷｉＭＡＸは、広帯域スピードにおけるセルラーネットワークの完全な移動性を提供する。
【００１３】
移動ＷｉＭＡＸは、ＯＦＤＭ（直交周波数分割多重）技術及びＯＦＤＭＡ（直交周波数分割多元接続）技術に基づく。ＯＦＤＭは、最近様々な高データレート通信システムにおいて採用されるようになっているデジタル多搬送波変調技法である。ＯＦＤＭでは、送信ビットストリームが複数のより低いレートのサブストリームに分割される。各サブストリームは、複数の直交副搬送波のうちの１つによって変調され、複数の並行するサブチャネルのうちの１つにおいて送信される。ＯＦＤＭＡは、ユーザに対して異なる時間スロットにおいて副搬送波が割り当てられる多元接続技法である。ＯＦＤＭＡは、非常に様々な用途、データレート、及びサービス品質に対する要求を有する多くのユーザに対処することが可能な柔軟な多元接続技法である。
【００１４】
図１は、無線通信システム１００の例を示す。無線通信システム１００は、広帯域無線通信システム１００であることができる。無線通信システム１００は、幾つかのセル１０２のための通信を提供し、これらのセル１０２の各々は、基地局１０４によってサービスが提供される。基地局１０４は、ユーザ端末１０６と通信する固定局であり得る。基地局１０４は、代替においては、アクセスポイント、ノードＢ、又はその他の何らかの用語として称され得る。
【００１５】
図１は、システム１００全体に分散された様々なユーザ端末１０６を示す。ユーザ端末１０６は、固定式（すなわち、静止式）又は移動式であり得る。ユーザ端末１０６は、代替においては、遠隔局、アクセス端末、端末、加入者ユニット、移動局、局、ユーザ装置、等と称され得る。ユーザ端末１０６は、無線デバイス、例えば携帯電話、パーソナルデジタルアシスタント（ＰＤＡ）、ハンドヘルドデバイス、無線モデム、ラップトップコンピュータ、パソコン、等であり得る。
【００１６】
基地局１０４とユーザ端末１０６との間の無線通信システム１００における送信のために様々なアルゴリズム及び方法を用いられ得る。例えば、信号は、ＯＦＤＭＡ技法により基地局１０４とユーザ端末１０６との間において送信され及び受信され得る。この場合は、無線通信システム１００は、ＯＦＤＭＡシステム１００と称され得る。
【００１７】
基地局１０４からユーザ端末１０６への送信を容易にする通信リンクは、ダウンリンク１０８と称され、ユーザ端末１０６から基地局１０４への送信を容易にする通信リンクは、アップリンク１１０と称され得る。代替においては、ダウンリンク１０８は、順方向リンク又は順方向チャネル称され、アップリンク１１０は、逆方向リンク又は逆方向チャネルと称され得る。
【００１８】
セル１０２は、複数のセクタ１１２に分割され得る。セクタ１１２は、セル１０２内の物理的カバレッジエリアである。ＯＦＤＭＡシステム１００内の基地局１０４は、セル１０２の特定のセクタ１１２内において電力のフローを集中させるアンテナを利用し得る。そのようなアンテナは、指向性アンテナと称され得る。
【００１９】
無線通信システム１００においては、システム性能はマルチパスフェージングによって制限される。ダイバーシティ方式の使用は、マルチパスフェージングの影響を軽減し従って無線通信システムの誤り性能、データレート、及び／又は容量を向上させることができる。
【００２０】
無線通信システム１００においては幾つかの異なるタイプのダイバーシティ方式を利用され得る。ダイバーシティ方式の幾つかの例は、受信機アンテナダイバーシティと、反復ダイバーシティ（ｒｅｐｅｔｉｔｉｏｎ  ｄｉｖｅｒｓｉｔｙ）と、複製ダイバーシティ（ｄｕｐｌｉｃａｔｉｏｎ  ｄｉｖｅｒｓｉｔｙ）と、を含む。
【００２１】
受信機アンテナダイバーシティを実装するために、複数のアンテナを受信機において提供し得る。これらのアンテナからの信号は、最大比合成（ＭＲＣ）方式に基づいて合成され得る。
【００２２】
反復ダイバーシティは、同じ信号を複数回送信することによって実装され得る。信号は、異なる周波数帯域を有する同じシンボルで繰り返され、又は異なるシンボルで繰り返され得る。
【００２３】
反復ダイバーシティを実装するために、反復係数を定義し得る。ＩＥＥＥ８０２．１６システムにおいては、反復係数は、１、２、４、又は６であり得る。反復係数は、信号が何回繰り返されるかを示し得る。例えば、反復係数が２である場合は、オリジナルの信号及びオリジナルの信号と同じである１つの追加の信号を送信し得る。
【００２４】
複製ダイバーシティは、同じ情報ビットを複数回送信することによって実装され得る。例えば、ＩＥＥＥ８０２．１６ｅ規格は、フレーム制御ヘッダ（ＦＣＨ）チャネルのための複製された（ｄｕｐｌｉｃａｔｅｄ）送信をサポートする。ＦＣＨチャネルのコンテンツは、ダウンリンクフレームプレフィックス（ＤＬＦＰ）と呼ばれる。ＤＬＦＰは、各フレームの初めに送信されるデータ構造である。ＤＬＦＰは、現在のフレームに関する情報を含み、ＦＣＨにマッピングされる。ＩＥＥＥ８０２．１６ｅに準拠して構成されるＯＦＤＭＡシステムにおいては、２４ビットのＤＬＦＰメッセージを複製することで、その２４ビットのＤＬＦＰメッセージとその２４ビットのＤＬＦＰメッセージの複製とを含む４８ビットブロックを形成し得る。
【００２５】
図２は、複数のダイバーシティソースからの信号を合成するためのシステム２００の例を示す。システム２００は、ＯＦＤＭＡを利用するように構成され得る。例えば、システム２００は、ＩＥＥＥ８０２．１６ｅに準拠して構成され得る。
【００２６】
システム２００は、送信機２０２を含む。送信機２０２は、複製ダイバーシティを実装するコンポーネント２０８を含む。送信機２０２は、さらに反復ダイバーシティを実装するコンポーネント２１０を含む。送信機２０２は、さらにアンテナ２１６を含む。
【００２７】
システム２００は、さらに受信機２０４を含む。受信機２０４は、Ｎｃのアンテナ２０６を含む。第１のアンテナ２０６（１）及びＮｃ番目のアンテナ２０６（Ｎｃ）が図２に示される。アンテナ２０６（１）．．．２０６（Ｎｃ）は、受信機アンテナダイバーシティを達成する目的のために提供され得る。
【００２８】
受信機２０４は、さらに受信機アンテナダイバーシティのための等化及び合成を実装するコンポーネント２２０を含む。受信機は、さらに受信機アンテナダイバーシティのためのチャネル状態情報（ＣＳＩ）合成を実装するコンポーネント２２２を含む。
【００２９】
受信機２０４は、さらに反復ダイバーシティのための等化及び合成を実装するコンポーネント２２８を含む。受信機は、さらに反復ダイバーシティのためのＣＳＩ合成を実装するコンポーネント２３０を含む。
【００３０】
受信機２０４は、さらに複製ダイバーシティのための等化及び合成を実装するコンポーネント２３２を含む。受信機は、さらに複製ダイバーシティのためのＣＳＩ合成を実装するコンポーネント２３４を含む。
【００３１】
受信機２０４は、受信機アンテナダイバーシティのためのＭＲＣに基づく等化及び合成、反復ダイバーシティのためのＭＲＣに基づく等化及び合成及び複製ダイバーシティのためのＭＲＣに基づく等化及び合成が個別に行われるように構成され得る。換言すると、これらの等化動作及び合成動作は、同時並行して行われるのとは対照的に、順次行われ得る。同様に、受信機アンテナダイバーシティのためのＭＲＣに基づくＣＳＩ合成、反復ダイバーシティのためのＭＲＣに基づくＣＳＩ合成及び複製ダイバーシティのためのＭＲＣに基づくＣＳＩ合成は、個別に行われ得る。
【００３２】
図３は、無線通信システム１００、例えばＩＥＥＥ８０２．１６ｅに準拠して構成されるＯＦＤＭＡシステム内において利用され得る送信機３０２の例を示す。送信機３０２は、ダウンリンク１０８においてユーザ端末１０６にデータを送信するために基地局１０４に実装され得る。送信機３０２は、さらにアップリンク１１０において基地局１０４にデータを送信するためにユーザ端末１０６に実装され得る。
【００３３】
送信機３０２への入力として提供されるペイロード３２２が示される。送信機３０２は、複製ダイバーシティを実装するコンポーネント３０４を含む。送信機３０２は、さらにチャネルコーディングのためのコンポーネント３０６と、副搬送波の割り当て及びスロットへの分割を実装するコンポーネント３０８と、を含む。送信機３０２は、さらに反復ダイバーシティを実装するコンポーネント３１０を含む。送信機３０２は、さらにマッピングのためのコンポーネント３１２と、副搬送波ランダマイザ３１４と、逆高速フーリエ変換（ＩＦＦＴ）のためのコンポーネント３１８と、ＲＦフロントエンド３２０と、アンテナ３１６と、を含む。
【００３４】
図４Ａ及び４Ｂは、複数のダイバーシティソースから到来する信号を合成するためのシステム４００の他の例を示す。システム４００は、ＯＦＤＭＡを利用するように構成され得る。例えば、システム４００は、ＩＥＥＥ８０２．１６ｅに準拠して構成され得る。
【００３５】
システム４００は、送信機４０２を含む。送信機４０２は、図３に示される送信機３０２と同様に構成され得る。送信機４０２は、アンテナ４１６を含む。
【００３６】
システム４００は、さらに受信機４０４を含む。受信機４０４は、ダウンリンク１０８において基地局１０４からデータを受信するためにユーザ端末１０６に実装され得る。受信機４０４は、さらにアップリンク１１０においてユーザ端末１０６からデータを受信するために基地局１０４に実装され得る。
【００３７】
受信機４０４の幾つかの態様が図４Ａに示され、受信機４０４の幾つかの態様が図４Ｂに示される。最初に図４Ａを参照し、受信機４０４は、Ｎｃ個のアンテナ４０６を含む。第１のアンテナ４０６（１）及びＮｃ番目のアンテナ４０６（Ｎｃ）が図４Ａに示される。アンテナ４０６（１）．．．４０６（Ｎｃ）は、受信機アンテナダイバーシティを達成する目的のために提供され得る。送信機４０２のアンテナ４１６と受信機４０４のアンテナ４０６（１）．．．４０６（Ｎｃ）との間にはＮｃ個の異なる通信チャネルｈ１．．．ｈＮｃが存在し得る。
【００３８】
受信機４０４は、アンテナ４０６（１）．．．４０６（Ｎｃ）によって受信される信号に関する高速フーリエ変換（ＦＦＴ）演算を行うように構成されるＦＦＴコンポーネント４１０を含む。異なる通信チャネルｈ４０８に対応する各信号内の各ＯＦＤＭシンボルに関してＮｆｆｔポイントＦＦＴ演算を行われ得る。ＦＦＴ演算の結果は、多次元配列Ｒｆｆｔ（ｉ，ｃ，ｎ）４５０として表され得る。ここで、項ｉは、ＯＦＤＭＡシンボル（ｉ＝１、２、．．．、Ｎｉ）のためのインデックスであり、項ｃは、通信チャネル４０８のためのインデックスであり（ｃ＝１、２、．．．、Ｎｃ）、項ｎは、ＦＦＴのためのインデックス（ｎ＝１、２、．．．、Ｎｆｆｔ）である。
【００３９】
受信機４０４は、さらにＲｆｆｔ（ｉ，ｃ，ｎ）４５０に関する副搬送波のデランダム化を行うように構成された副搬送波デランダマイザ（ｄｅ−ｒａｎｄｏｍｉｚｅｒ）を含む。副搬送波のデランダム化は、個々のシンボルごとにすべての有用な副搬送波に関して行われ得る。副搬送波のデランダム化の結果は、多次元配列Ｒｓｄｒ（ｉ，ｃ，ｎ）４５２として表され得る。
【００４０】
受信機４０４は、さらにＲｓｄｒ（ｉ，ｃ，ｎ）４５２に関するチャネル推定を行うように構成されるチャネル推定器４１８を含む。チャネル推定は、すべての可能なチャネル、副搬送波及びシンボルに関して行われ得る。チャネル推定の結果は、多次元配列Ｈｐ（ｉ，ｃ，ｎ）４５４として表され得る。
【００４１】
受信機４０４は、さらに受信機アンテナダイバーシティのためのＭＲＣに基づく等化及び合成を行うように構成されるコンポーネント４２０を含む。このコンポーネント４２０は、図４Ａにおいては“ＲｘアンテナダイバーシティのためのＥＱ合成器”という名前が付されており、受信機アンテナダイバーシティ等化器及び合成器４２０と称され得る。
【００４２】
受信機アンテナダイバーシティのためのＭＲＣに基づく等化及び合成は、次の方程式に従って行われ得る。  
【数１】
2011517538.tif 000003
【００４３】
この方程式において、項Ｒｅ（ｉ，ｎ）４５６は、受信機アンテナダイバーシティのためのＭＲＣに基づく等化及び合成の結果を示す。項ＲｅＮ（ｉ，ｎ）は、項Ｒｅ（ｉ，ｎ）４５６の分子を示す。項ＲｅＤ（ｉ，ｎ）は、項Ｒｅ（ｉ，ｎ）４５６の分母を示す。式（）＊は、（）の複素共役を示す。
【００４４】
受信機４０４は、さらに受信機アンテナダイバーシティのためのＭＲＣに基づくチャネル状態情報（ＣＳＩ）合成（ｃｏｍｂｉｎｉｎｇ）を行うように構成されるコンポーネント４２２を含む。このコンポーネント４２２は、図４Ａにおいては“ＲｘアンテナダイバーシティのためのＣＳＩ合成器”という名前が付されており、受信機アンテナダイバーシティＣＳＩ合成器４２２と称され得る。
【００４５】
受信機アンテナダイバーシティのためのＭＲＣに基づくＣＳＩ合成は、次の方程式に従って行われ得る。  
【数２】
2011517538.tif 000004
【００４６】
この方程式において、項Ｈｅ（ｉ，ｎ）４５８は、ＭＲＣに基づくＣＳＩ合成の結果を示す。項ＨｅＮ（ｉ，ｎ）は、項Ｈｅ（ｉ，ｎ）の分子を示す。項ＨｅＤ（ｉ，ｎ）は、Ｈｅ（ｉ，ｎ），の分母を示す。
【００４７】
受信機４０４は、さらにＲｅ（ｉ，ｎ）４５６に関する副搬送波割り当て解除を行うように構成される第１の副搬送波割り当て解除器４２４を含む。この副搬送波割り当て解除の結果は、Ｒｓ（ｓ，ｋ）４６０として表わされ得、ここで、ｓは、割り当てられたスロットの数のインデックスであり（ｓ＝１、２、．．．、Ｎｓ）、ｋは、スロット当たりの副搬送波数のインデックスである（ｋ＝１、２、．．．、Ｎｓｃ）。受信機４０４は、さらにＨｅ（ｉ，ｎ）４５８に関する副搬送波割り当て解除を行うように構成される第２の副搬送波割り当て解除器４２６を含む。この副搬送波割り当て解除の結果は、Ｈｓ（ｓ，ｋ）４６２として表わされ得る。副搬送波割り当て解除は、対応する副搬送波を抽出することと、それらの副搬送波をスロットに基づくフォーマットで配置すること、とを含み得る。
【００４８】
受信機４０４は、さらに反復ダイバーシティのためのＭＲＣに基づく等化及び合成を行うように構成されるコンポーネント４２８を含む。このコンポーネント４２８は、図４Ａにおいては“ＲＰＴコーディングのためのＥＱ合成器”という名前が付されており、反復ダイバーシティ等化器及び合成器４２８と称され得る。
【００４９】
反復ダイバーシティのためのＭＲＣに基づく等化及び合成は、次の方程式に従って行われ得る。  
【数３】
2011517538.tif 000005
【００５０】
これらの方程式において、項Ｒｒｐｔ（ｚ，ｋ）４６４は、反復ダイバーシティのためのＭＲＣに基づく等化及び合成の結果を示す。項ＲｒｐｔＮ（ｚ，ｋ）は、Ｒｒｐｔ（ｚ，ｋ）４６４の分子である。項ＲｒｐｔＤ（ｚ，ｋ）は、Ｒｒｐｔ（ｚ，ｋ）４６４の分母である。ｚは、割り当てられたスロットインデックスｓに関する割り当てられたスロットの数のインデックスであり、ｚ＝１、２、．．．、Ｎｚであり、  
【数４】
2011517538.tif 000006
【００５１】
であり、Ｒは、反復係数であり、Ｒ＝［１，２，４，又は６］である。
【００５２】
受信機４０４は、さらに反復ダイバーシティのためのＭＲＣに基づくＣＳＩ合成を行うように構成されるコンポーネント４３０を含む。このコンポーネント４３０は、図４Ａにおいては“ＲＰＴコーディングのためのＣＳＩ合成器”という名前が付されており、反復ダイバーシティＣＳＩ合成器４３０と称され得る。
【００５３】
反復ダイバーシティのためのＭＲＣに基づくＣＳＩ合成は、次の方程式に従って行われ得る。  
【数５】
2011517538.tif 000007
【００５４】
これらの方程式において、項Ｈｒｐｔ（ｚ，ｋ）４６６は、反復ダイバーシティのためのＭＲＣに基づくＣＳＩ合成の結果を示す。項ＨｒｐｔＮ（ｚ，ｋ）は、Ｈｒｐｔ（ｚ，ｋ）４６６の分子である。項ＨｒｐｔＤ（ｚ，ｋ）は、Ｈｒｐｔ（ｚ，ｋ）４６６の分母である。
【００５５】
今度は図４Ｂを参照し、受信機４０４は、さらに複製ダイバーシティのためのＭＲＣに基づく等化及び合成を行うように構成されるコンポーネント４３２を含む。このコンポーネント４３２は、図４Ｂにおいては“ＤＵＰコーディングのためのＥＱ合成器”という名前が付されており、複製ダイバーシティ等化器及び合成器４３２と称され得る。
【００５６】
複製ダイバーシティのためのＭＲＣに基づく等化及び合成は、次の方程式に従って行われ得る。  
【数６】
2011517538.tif 000008
【００５７】
これらの方程式において、項Ｒｄｕｐ（ｚ，ｕ）４６８は、複製ダイバーシティのためのＭＲＣに基づく等化及び合成の結果を示す。項ＲｄｕｐＮ（ｚ，ｕ）は、Ｒｄｕｐ（ｚ，ｕ）４６８の分子である。項ＲｄｕｐＤ（ｚ，ｕ）は、Ｒｄｕｐ（ｚ，ｕ）４６８の分母である。項ｕは、複製ごとの副搬送波数のインデックスであり、ここで、ｕ＝１，２、．．．、Ｎｕであり、  
【数７】
2011517538.tif 000009
【００５８】
であり、Ｄは、複製係数であり、Ｄ＝［１又は２］である。
【００５９】
受信機４０４は、さらに複製ダイバーシティのためのＭＲＣに基づくＣＳＩ合成を行うように構成されるコンポーネント４３４を含む。このコンポーネント４３４は、図４Ｂにおいては“ＤＵＰコーディングのためのＣＳＩ合成器”という名前が付されており、複製ダイバーシティＣＳＩ合成器４３４と称され得る。
【００６０】
複製ダイバーシティのためのＭＲＣに基づくＣＳＩ合成は、次の方程式に従って行われ得る。  
【数８】
2011517538.tif 000010
【００６１】
これらの方程式において、項Ｈｄｕｐ（ｚ，ｕ）４７０は、複製ダイバーシティのためのＭＲＣに基づくＣＳＩ合成の結果を示す。項ＨｄｕｐＮ（ｚ，ｕ）は、Ｈｄｕｐ（ｚ，ｕ）４７０の分子である。項ＨｄｕｐＤ（ｚ，ｕ）は、Ｈｄｕｐ（ｚ，ｕ）４７０の分母である。
【００６２】
受信機４０４は、さらに後処理のためのＭＲＣに基づく等化及び合成を行うように構成されるコンポーネント４３６を含む。このコンポーネント４３６は、図４Ｂにおいては“後処理のためのＥＱ合成器”という名前が付されており、後処理等化器及び合成器４３６と称され得る。
【００６３】
後処理のためのＭＲＣに基づく等化及び合成は、次の方程式に従って行われ得る。  
【数９】
2011517538.tif 000011
【００６４】
この方程式において、項Ｒｅｑ（ｚ，ｕ）４７２は、後処理のためのＭＲＣに基づく等化及び合成の結果を示す。Ｒｅｑ（ｚ，ｕ）４７２は、最終的な合成された信号である。
【００６５】
受信機４０４は、さらに後処理のためのＣＳＩ合成を行うように構成されるコンポーネント４３８を含む。このコンポーネント４３８は、図４Ｂにおいては“後処理のためのＣＳＩ合成器”という名前が付されており、後処理ＣＳＩ合成器４３８と称され得る。
【００６６】
後処理のためのＭＲＣに基づくＣＳＩ合成は、次の方程式に従って行われ得る。  
【数１０】
2011517538.tif 000012
【００６７】
この方程式において、項Ｈｅｑ（ｚ，ｕ）４７４は、後処理のためのＭＲＣに基づくＣＳＩ合成の結果を示す。項Ｈｅｑ（ｚ，ｕ）４７４は、最終的なＣＳＩ推定値である。
【００６８】
受信機４０４は、さらにＲｅｑ（ｚ，ｕ）４７２に関するデマッピングを行うように構成されるデマッパ４４２を含む。デマッピングの結果は、Ｒｍ（ｚ，ｕ）４７６である。
【００６９】
受信機４０４は、さらにソフトデマッピング、スケーリング、ＣＳＩ重み付け及び量子化を行うように構成されるコンポーネント４４４を含む。このコンポーネント４４４は、図４Ｂにおいては“ＳＳＣＱ”と呼ばれ、ここで、頭字語ＳＳＣＱは、ソフトデマッピング、スケーリング、ＣＳＩ重み付け及び量子化を表す。ソフトデマッピング、スケーリング、ＣＳＩ重み付け及び量子化は、Ｒｍ（ｚ，ｕ）４７６とＨｅｑ（ｚ，ｕ）４７４との両方を含む。ソフトデマッピング、スケーリング、ＣＳＩ重み付け及び量子化の結果は、Ｒｄ（ｘ）４７８である。
【００７０】
受信機４０４は、さらにＲｄ（ｘ）４７８に関するチャネル復号を行うように構成されるチャネル復号器４４６を含む。チャネル復号の結果は、ペイロード４４８である。
【００７１】
上述されるように、受信機４０４は、受信機アンテナダイバーシティのためのＭＲＣに基づく等化及び合成、反復ダイバーシティのためのＭＲＣに基づく等化及び合成及び複製ダイバーシティのためのＭＲＣに基づく等化及び合成を行うように構成される。受信機４０４は、受信機アンテナダイバーシティのためのＭＲＣに基づく等化及び合成、反復ダイバーシティのためのＭＲＣに基づく等化及び合成及び複製ダイバーシティのためのＭＲＣに基づく等化及び合成が個別に行われるように構成される。換言すると、これらの等化動作及び合成動作は、同時並行して行われるのとは対照的に、順次行われる。
【００７２】
受信機４０４は、反復ダイバーシティのためのＭＲＣに基づく等化及び合成は受信機アンテナダイバーシティのためのＭＲＣに基づく等化及び合成の後に行われ、複製ダイバーシティのためのＭＲＣに基づく等化及び合成は反復ダイバーシティのためのＭＲＣに基づく等化及び合成の後に行われるように構成される。代替として、等化動作及び合成動作は、異なる順序で行われ得る。
【００７３】
上述されるように、受信機４０４は、受信機アンテナダイバーシティのためのＭＲＣに基づくＣＳＩ合成、反復ダイバーシティのためのＭＲＣに基づくＣＳＩ合成及び複製ダイバーシティのためのＭＲＣに基づくＣＳＩ合成を行うように構成される。受信機４０４は、受信機アンテナダイバーシティのためのＭＲＣに基づくＣＳＩ合成、反復ダイバーシティのためのＭＲＣに基づくＣＳＩ合成及び複製ダイバーシティのためのＭＲＣに基づくＣＳＩ合成が個別に行われるように構成される。換言すると、これらのＣＳＩ合成動作は、同時並行して行われるのとは対照的に、順次行われる。
【００７４】
受信機４０４は、反復ダイバーシティのためのＭＲＣに基づくＣＳＩ合成は受信機アンテナダイバーシティのためのＭＲＣに基づくＣＳＩ合成の後に行われ、複製ダイバーシティのためのＭＲＣに基づくＣＳＩ合成は反復ダイバーシティのためのＭＲＣに基づくＣＳＩ合成の後に行われるように構成される。代替として、ＣＳＩ合成動作は、異なる順序で行われ得る。
【００７５】
図５は、複数のダイバーシティソースから到来する信号を合成するための方法５００を示す。方法５００は、無線通信システム４００内の受信機４０４によって実装され得る。
【００７６】
方法５００は、受信機アンテナダイバーシティのためのＭＲＣに基づく等化及び合成を行うこと５０２を含む。これは、上記の方程式（１）に従って行われ得る。方法５００は、さらに受信機アンテナダイバーシティのためのＭＲＣに基づくＣＳＩ合成を行うこと５０４を含む。これは、上記の方程式（２）に従って行われ得る。
【００７７】
方法５００は、さらに反復ダイバーシティのためのＭＲＣに基づく等化及び合成を行うこと５０６を含む。これは、上記の方程式（３）乃至（５）に従って行われ得る。方法５００は、さらに反復ダイバーシティのためのＭＲＣに基づくＣＳＩ合成を行うこと５０８を含む。これは、上記の方程式（６）乃至（８）に従って行われ得る。
【００７８】
方法５００は、さらに複製ダイバーシティのためのＭＲＣに基づく等化及び合成を行うこと５１０を含む。これは、上記の方程式（９）乃至（１１）に従って行われ得る。方法５００は、さらに複製ダイバーシティのためのＭＲＣに基づくＣＳＩ合成を行うこと５１２を含む。これは、上記の方程式（１２）乃至（１４）に従って行われ得る。
【００７９】
方法５００は、さらに後処理のためのＭＲＣに基づく等化及び合成を行うこと５１４を含む。これは、上記の方程式（１５）に従って行われ得る。方法５００は、さらに後処理のためのＭＲＣに基づくＣＳＩ合成を行うこと５１６を含む。これは、上記の方程式（１６）に従って行われ得る。
【００８０】
上述される図５の方法５００は、図６に示される手段及び機能ブロック６００に対応する様々なハードウェア及び／又はソフトウェアコンポーネント及び／又はモジュールによって行われ得る。換言すると、図５に示されるブロック５０２乃至５１６は、図６に示される手段及び機能ブロック６０２乃至６１６に対応する。
【００８１】
図７は、無線デバイス７０２において利用される得る様々なコンポーネントを示す。無線デバイス７０２は、ここにおいて説明される様々な方法を実装するように構成され得るデバイスの例である。無線デバイス７０２は、基地局１０４又はユーザ端末１０６であり得る。
【００８２】
無線デバイス７０２は、無線デバイス７０２の動作を制御するプロセッサ７０４を含み得る。プロセッサ７０４は、さらに中央処理装置（ＣＰＵ）と称され得る。メモリ７０６は、読み取り専用メモリ（ＲＯＭ）とランダムアクセスメモリ（ＲＡＭ）との両方を含み得、命令及びデータをプロセッサ７０４に提供する。メモリ７０６の一部分は、さらに不揮発性ランダムアクセスメモリ（ＮＶＲＡＭ）を含み得る。プロセッサ７０４は、典型的に、メモリ７０６内に格納されたプログラム命令に基づいて論理演算及び算術演算を行う。メモリ７０６内の命令は、ここにおいて説明される方法を実装するために実行され得る。
【００８３】
無線デバイス７０２は、さらに無線デバイス７０２と遠隔場所との間におけるデータの送信及び受信を可能にするための送信機７１０と受信機７１２とを含むハウジング７０８を含み得る。送信機７１０及び受信機７１２は、結合してトランシーバ７１４とすることができる。アンテナ７１６は、ハウジング７０８に取り付けられ、トランシーバ７１４に電気的に結合され得る。無線デバイス７０２は、さらに（示されていない）複数の送信機、複数の受信機、複数のトランシーバ及び／又は複数のアンテナを含み得る。
【００８４】
無線デバイス７０２は、さらにトランシーバ７１４によって受信された信号のレベルを検出及び定量化するために用いられ得る信号検出器７１８を含み得る。信号検出器７１８は、総エネルギー、疑似雑音（ＰＮ）チップ当たりのパイロットエネルギー、電力スペクトル密度、等の信号を検出し得る。無線デバイス７０２は、信号を処理する際に用いるためのデジタル信号プロセッサ（ＤＳＰ）７２０を含み得る。
【００８５】
無線デバイス７０２の様々なコンポーネントは、バスシステム７２２によってひとつに結合され、バスシステム７２２は、データバスに加えて、電力バスと、制御信号バスと、状態信号バスと、を含み得る。しかしながら、説明を明確化するために、これらの様々なバスは図７においてはバスシステム７２２として示される。
【００８６】
ここにおいて用いられる場合における表現“決定すること”は、非常に様々な行動を包含し、従って、“決定すること”は、算出すること、計算すること、処理すること、導き出すこと、調査すること、検索すること（例えば、テーブル、データベース又は他のデータ構造において検索すること）、確認すること、等を含み得る。さらに、“決定すること”は、受信すること（例えば情報を受信すること）、アクセスすること（例えばメモリ内のデータにアクセスすること）、等を含み得る。さらに、“決定すること”は、解決すること、選択すること、選ぶこと、確立すること、等を含み得る。
【００８７】
“に基づく”という表現は、別の意味であることが明示されない限り、“のみに基づく”という意味ではない。換言すると、“に基づく”という表現は、“のみに基づく”及び“少なくとも〜に基づく”の両方を表す。
【００８８】
この開示に関係させて説明される様々な例示的な論理ブロック、モジュール及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲート論理、ディスクリートトランジスタ論理、ディスクリートハードウェアコンポーネント又はそのあらゆる組合せを用いて実装又は実行され得る。汎用プロセッサは、マイクロプロセッサであり得るが、代替においては、プロセッサは、市販のどのようなプロセッサ、コントローラ、マイクロコントローラ、又はステートマシンであってもよい。さらに、プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装され得る。
【００８９】
この開示に関係して説明される方法又はアルゴリズムのステップは、ハードウェア内において直接具現化させること、プロセッサによって実行されるソフトウェアモジュール内において具現化させること、又はこれらの２つの組合せにおいて具現化させ得る。ソフトウェアモジュールは、当業者において知られるあらゆる形態の記憶媒体に常駐することができる。用いることができる記憶媒体の幾つかの例は、ＲＡＭメモリと、フラッシュメモリと、ＲＯＭメモリと、ＥＰＲＯＭメモリと、ＥＥＰＲＯＭメモリと、レジスタと、ハードディスクと、取り外し可能なディスクと、ＣＤ−ＲＯＭ等と、を含む。ソフトウェアモジュールは、単一の命令又は多くの命令を備えることができ、及び幾つかの異なる符号セグメントにわたって、異なるプログラムの間で及び複数の記憶媒体にわたって分散することができる。記憶媒体は、プロセッサに結合させ、そのようなプロセッサが記憶媒体から情報を読み出すようにすること及び記憶媒体に情報を書き込むようにすることができる。代替においては、記憶媒体は、プロセッサと一体化させることができる。
【００９０】
ここにおいて開示される方法は、説明される方法を達成させるための１つ以上のステップ又は行動を備える。方法上のステップ及び／又は行動は、請求項の適用範囲を逸脱することなしに互いに交換することができる。換言すると、ステップ又は行動の特定の順序が指定されない限り、特定のステップ及び／又は行動の順序及び／又は使用は、請求項の適用範囲を逸脱することなしに修正することができる。
【００９１】
説明される機能は、ハードウェア、ソフトウェア、ファームウェア、又はその組み合わせにおいて実装され得る。ソフトウェアにおいて実装される場合は、これらの機能は、コンピュータによって読み取り可能な媒体において１つ以上の命令として格納され得る。コンピュータによって読み取り可能な媒体は、コンピュータによってアクセス可能なあらゆる利用可能な媒体であることができる。一例として、及び制限することなしに、コンピュータによって読み取り可能な媒体は、ＲＡＭ、ＲＯＭ、ＥＥＰＲＯＭ、ＣＤ−ＲＯＭ又はその他の光学ディスク記憶ストレージ、磁気ディスク記憶ストレージ又はその他の磁気記憶装置、又はコンピュータによってアクセス可能な命令又はデータ構造の形態で希望されるプログラムコードを搬送又は格納するために用いることができるその他の媒体、を備えることができる。さらに、ここにおいて用いられるときのディスク（ｄｉｓｋ）およびディスク（ｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（登録商標）（ｄｉｓｃ）と、を含み、ここで、ｄｉｓｋは通常はデータを磁気的に複製し、ｄｉｓｃは、レーザーを用いて光学的にデータを複製する。
【００９２】
ソフトウェア又は命令は、送信媒体において送信することも可能である。例えば、ソフトウェアが、同軸ケーブル、光ファイバーケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバーケーブル、より対線、ＤＳＬ、又は無線技術、例えば赤外線、無線、及びマイクロ波、は、送信媒体の定義の中に含まれる。
【００９３】
さらに、ここにおいて説明される方法及び技法を実行するためのモジュール及び／又はその他の適切な手段、例えば図５及び６によって示されるモジュール及び／又はその他の適切な手段は、モバイルデバイス及び／又は基地局によって適宜ダウンロードすること及び／又はその他の形で入手することができることを認識するべきである。例えば、そのようなデバイスは、ここにおいて説明される方法を実行するための手段の転送を容易にするためにサーバに結合することができる。代替として、ここにおいて説明される様々な方法は、記憶手段（例えば、ランダムアクセスメモリ（ＲＡＭ）、読み取り専用メモリ（ＲＯＭ）、物理的記憶媒体、例えばコンパクトディスク（ＣＤ）又はフロッピー（登録商標）ディスク、等）を介して提供することができ、このため、モバイルデバイス及び／又は基地局は、これらの記憶手段をデバイスに結合次第又は提供次第様々な方法を入手することができる。さらに、ここにおいて説明される方法及び技法をデバイスに提供するためのその他の適切な技法を利用することが可能である。
【００９４】
請求項は、上述される正確な構成及びコンポーネントに限定されないことが理解されるべきである。ここにおいて説明されるシステム、方法、及び装置の配置、動作及び詳細は、請求項の適用範囲を逸脱することなしに様々な修正、変更及び変形を行うことが可能である。
【図１】
2011517538.tif 000092
【図２】
2011517538.tif 000093
【図３】
2011517538.tif 000094
【図４Ａ】
2011517538.tif 000095
【図４Ｂ】
2011517538.tif 000096
【図５】
2011517538.tif 000097
【図６】
2011517538.tif 000098
【図７】
2011517538.tif 000099
【国際調査報告】
2011517538.tif 000100
2011517538.tif 000101
2011517538.tif 000102